(57)【要約】【課題】上布と下布を所望の位置で接着可能な布接着装置を提供すること。【解決手段】布接着装置は台座部２と、台座部２に対向配置する上布と下布を押圧しながら搬送方向に搬送する搬送手段１７、２０と、搬送方向と交差する延出方向に延び、搬送手段に対し搬送方向上流側で台座部２に対向配置する上布と下布の間に接着剤を吐き出すノズル５１と、ノズル５１の延出方向一端側を支持するノズル支持機構４１と、台座部２に比べ上側となる位置、且つ、ノズル５１に対し延出方向においてノズル支持機構４１と反対側で少なくともノズル５１と対向する位置に上布を配置するガイド部７１を有するガイド部材７０を備える。【選択図】図２
2014194091.tif 000002
【特許請求の範囲】
【請求項１】
台座部と、
前記台座部に対向配置する上布と下布を押圧しながら搬送方向に搬送する搬送手段と、
前記搬送方向と交差する延出方向に延び、前記搬送手段に対し前記搬送方向上流側で前記台座部に対向配置する前記上布と前記下布の間に接着剤を吐き出すノズルと、
前記ノズルの前記延出方向一端側を支持するノズル支持機構と
を備える布接着装置において、
前記台座部に比べ上側となる位置、且つ、前記ノズルに対し前記延出方向において前記ノズル支持機構と反対側で少なくとも前記ノズルと対向する位置に前記上布を配置するガイド部を有するガイド部材を備えたことを特徴とする布接着装置。
【請求項２】
前記ガイド部は板状であり、
前記ガイド部の前記延出方向の長さは前記ノズルの前記延出方向の長さ以上であり、
前記ガイド部の前記台座部からの高さは前記ノズルの前記台座部からの高さの１倍以上１．５倍以下であることを特徴とする請求項１に記載の布接着装置。
【請求項３】
前記ガイド部は前記搬送方向下流側の端部が少なくとも前記搬送手段が前記上布と前記下布を押圧する押圧位置に比べ前記ノズル側にあることを特徴とする請求項１又は２に記載の布接着装置。
【請求項４】
前記ガイド部の前記搬送方向の長さは前記ノズルの前記搬送方向の長さと同じであり、
前記ガイド部の前記搬送方向における位置は前記ノズルの前記搬送方向における位置と同じであることを特徴とする請求項１又は２に記載の布接着装置。
【請求項５】
前記ガイド部材は前記延出方向における前記ノズルと前記ガイド部との距離を調整する調整部を更に備えることを特徴とする請求項１から４の何れかに記載の布接着装置。
【請求項６】
前記ガイド部は前記延出方向において前記ノズルと対向する側が前記台座部と離間することを特徴とする請求項１から５の何れかに記載の布接着装置。
【請求項７】
前記ガイド部材は、
前記ガイド部の前記搬送方向上流側に配置し、前記ノズルの前記延出方向他端側の下部に延びて前記下布を案内する下布案内部を更に備えることを特徴とする請求項１から６の何れかに記載の布接着装置。
【請求項８】
前記ガイド部材は、
前記下布案内部を回動可能に支持する軸部を備え、
前記下布案内部は、前記軸部を中心に回動して、前記ノズルの前記延出方向他端側の下部に延びる第一姿勢と前記ノズルの前記延出方向他端側の下部から退避する第二姿勢との間で切替可能であることを特徴とする請求項７に記載の布接着装置。
【請求項９】
前記ガイド部材は、
前記下布案内部の前記延出方向における位置を調整可能な案内位置調整部を備えることを特徴とする請求項７又は８に記載の布接着装置。
【発明の詳細な説明】
【技術分野】
【０００１】
本発明は、布を搬送しながら接着剤を布に塗布して布同士を接着する布接着装置に関する。
【背景技術】
【０００２】
布接着装置は接着剤で布を接着するものである。布接着装置は搬送機構とノズルを備える。搬送機構は布を押圧しながら搬送する。ノズルは対向配置する布の間に接着剤を塗布する。搬送機構は布を押圧しながら搬送し、布同士は接着する。接着した布は縫糸を使用していないので、凹凸が布に生じない。特許文献１に記載した布接着装置は上布と下布の間にノズルを配置する。ノズルは下布に接着剤を塗布する。
【先行技術文献】
【特許文献】
【０００３】
【特許文献１】特開２０１０−２７５６５５号公報
【発明の概要】
【発明が解決しようとする課題】
【０００４】
該布接着装置はノズルが下布に接着剤を塗布するときに上布をノズルの上面に配置する。上布はノズルから滑り落ちる時がある。故に該布接着装置は上布の位置が不安定になり、上布と下布を所望の位置で接着できない時があるという問題点がある。
【０００５】
本発明の目的は、上布と下布を所望の位置で接着可能な布接着装置を提供することである。
【課題を解決するための手段】
【０００６】
本発明の一態様に係る布接着装置は台座部と、前記台座部に対向配置する上布と下布を押圧しながら搬送方向に搬送する搬送手段と、前記搬送方向と交差する延出方向に延び、前記搬送手段に対し前記搬送方向上流側で前記台座部に対向配置する前記上布と前記下布の間に接着剤を吐き出すノズルと、前記ノズルの前記延出方向一端側を支持するノズル支持機構とを備える布接着装置において、前記台座部に比べ上側となる位置、且つ、前記ノズルに対し前記延出方向において前記ノズル支持機構と反対側で少なくとも前記ノズルと対向する位置に前記上布を配置するガイド部を有するガイド部材を備える。
【０００７】
本態様の布接着装置では、ガイド部材のガイド部が上布を台座部に比べ上側となる位置且つ延出方向において少なくともノズルと対向する位置に配置する。布接着装置は上布がノズルから滑り落ちて上布の位置が不安定になることを回避できる。故に、布接着装置は上布と下布を所望の位置で接着できる。
【０００８】
本態様の布接着装置において、前記ガイド部は板状であり、前記ガイド部の前記延出方向の長さは前記ノズルの前記延出方向の長さ以上であり、前記ガイド部の前記台座部からの高さは前記ノズルの前記台座部からの高さの１倍以上１．５倍以下であってよい。
【０００９】
該布接着装置はガイド部の延出方向の長さがノズルの延出方向の長さ未満である時に比べ、上布がノズル又はガイド部から滑り落ちにくい。該布接着装置はガイド部の台座部からの高さはノズルの台座部からの高さの１倍以上１．５倍以下でない時に比べノズルとガイド部の高さの差が小さい。故に、該布接着装置はガイド部の台座部からの高さはノズルの台座部からの高さの１倍以上１．５倍以下でない時に比べ上布がノズル又はガイド部から滑り落ちにくい。故に、布接着装置は上布がノズルから滑り落ちて上布の位置が不安定になることを回避できる。
【００１０】
本態様の布接着装置において、前記ガイド部は前記搬送方向下流側の端部が少なくとも前記搬送手段が前記上布と前記下布を押圧する押圧位置に比べ前記ノズル側にあってよい。該布接着装置のガイド部は搬送手段と干渉しない。搬送手段は上布と下布を押圧しながらノズルに対して延出方向に搬送できる。
【００１１】
本態様の布接着装置において、前記ガイド部の前記搬送方向の長さは前記ノズルの前記搬送方向の長さと同じであり、前記ガイド部の前記搬送方向における位置は前記ノズルの前記搬送方向における位置と同じであってよい。該布接着装置はガイド部の大きさを小さくすることと、上布がノズル又はガイド部から滑り落ちにくくすることが両立できる。
【００１２】
本態様の布接着装置において、前記ガイド部材は前記延出方向における前記ノズルと前記ガイド部との距離を調整する調整部を更に備えてよい。該布接着装置は延出方向の長さが互いに異なるノズルを装着した時、装着したノズルの延出方向の長さに合わせてノズルとガイド部の距離を調整できる。該布接着装置は延出方向の長さが互いに異なるノズルを装着した時にも台座部に比べ上側となる位置且つ延出方向において少なくともノズルと対向する位置に上布を配置できる。
【００１３】
本態様の布接着装置において、前記ガイド部は前記延出方向において前記ノズルと対向する側が前記台座部と離間してよい。該布接着装置はガイド部が台座部と離間していない時に比べ下布を台座部上に配置する操作が容易である。
【００１４】
本態様の布接着装置において、前記ガイド部材は、前記ガイド部の前記搬送方向上流側に配置し、前記ノズルの前記延出方向他端側の下部に延びて前記下布を案内する下布案内部を更に備えてよい。該布接着装置は接着剤を塗布する下布の縁部の位置を所定の範囲に収めることができる。故に、布接着装置は上布と下布を所望の位置で接着できる。
【００１５】
本態様の布接着装置において、前記ガイド部材は、前記下布案内部を回動可能に支持する軸部を備え、前記下布案内部は、前記軸部を中心に回動して、前記ノズルの前記延出方向他端側の下部に延びる第一姿勢と前記ノズルの前記延出方向他端側の下部から退避する第二姿勢との間で切替可能であってよい。該布接着装置は例えばノズルの位置を切り替える時、下布案内部を第二姿勢に切り替えることでノズルと下布案内部が干渉するのを防止できる。
【００１６】
本態様の布接着装置において、前記ガイド部材は、前記下布案内部の前記延出方向における位置を調整可能な案内位置調整部を備えてよい。該布接着装置は接着剤を塗布する下布の縁部の位置を調整できる。故に、布接着装置は上布と下布を所望の位置で接着できる。
【図面の簡単な説明】
【００１７】
【図１】布接着装置１の斜視図。
【図２】ノズル５１近傍の斜視図。
【図３】下搬送部９０周辺の右側面図。
【図４】ノズル支持機構４１の斜視図。
【図５】図４に示すノズル５１とノズル支持部４３のＩ−Ｉ線矢視方向断面、螺子５１１、５１２の正面を示す図。
【図６】ノズル支持機構４１、ベルト２０、ノズル５１、ガイド部材７０の正面図。
【図７】ノズル支持機構４１、ガイド部材７０、上布Ｃ２、下布Ｃ１の斜視図。
【図８】第二実施形態のノズル５１近傍の拡大斜視図。
【図９】ノズル支持機構４１、ベルト２０、ノズル５１、ガイド部材１７０の正面図。
【図１０】下布案内機構８０が第一姿勢である時のノズル５１近傍の斜視図。
【図１１】下布案内機構８０近傍の正面図。
【図１２】下布案内機構８０が第二姿勢である時のノズル５１近傍の斜視図。
【図１３】第三実施形態のノズル５１近傍の斜視図。
【図１４】ノズル支持機構４１、ベルト２０、ノズル５１、ガイド部材７０の正面図
【発明を実施するための形態】
【００１８】
以下、本発明の第一実施形態の布接着装置１を、図面を参照し説明する。図１の上側、下側、右斜め上側、左斜め下側、右斜め下側、左斜め上側は夫々布接着装置１の上側、下側、右側、左側、前側、後側である。布接着装置１は上布と下布を搬送方向Ｃに搬送しながら接着できる。布接着装置１の搬送方向Ｃは前側から後側に向かう方向とする。前側は搬送方向Ｃ上流側であり、後側は搬送方向Ｃ下流側である。
【００１９】
図１に示す如く、布接着装置１は台座部２、脚柱部３、アーム部４を備える。台座部２は略直方体状である。台座部２はテーブル（図示略）に固定する。脚柱部３は台座部２右端から上方に延びる。アーム部４は脚柱部３の上端に接続し、脚柱部３左側面の左方に突出する。
【００２０】
図３に示す如く、台座部２は後述する下搬送部９０を内部に備える。下搬送部９０は後述する上搬送ローラ１７と協働して、台座部２に対向配置する上布と下布を押圧しながら搬送方向Ｃに搬送する。
【００２１】
図１に示す如く、台座部２は脚柱部３を支持する土台となる。脚柱部３はアーム部４を支持する。アーム部４は左側に、後方から順に梁部６、貯蔵室２１、ポンプケース２６を備える。アーム部４は内部に各種モータ等（図示略）を備える。
【００２２】
梁部６は本体部７、ばね支持部８、柱部９を備える。本体部７は略板状で、アーム部４左側後端部から左方へ水平方向に延びる。本体部７はばね支持部８の右側にエアシリンダ１８を備える。エアシリンダ１８は後述する通流部３０の位置を切り替える。ばね支持部８は板状で、本体部７左端部から前方へ水平方向に延びる。ばね支持部８は前端部に穴（図示略）を有し、軸部１２の上端部を穴に挿入する。ばね支持部８は軸部１２を上下動可能に支持する。軸部１２はばね１１に挿通する。
【００２３】
柱部９は水平面に対して約４５度の角度で本体部７から前方斜め下方へ延びる。柱部９下端部は台座部２から離れている。柱部９は下端部左側に、左右方向に延びる軸（図示略）を有する。柱部９はローラ保持部１３の後端部１４を支持する。ローラ保持部１３は軸を揺動中心として、前端部１５を上下方向に揺動する。
【００２４】
ローラ保持部１３の前端部１５は円柱状の上搬送ローラ１７を回転可能に支持する。上搬送ローラ１７は後述するノズル５１後方近傍に位置する。ローラ保持部１３は前方上面に軸支持部１６を有する。軸支持部１６は軸部１２を支持する。ばね１１はばね支持部８と軸部１２下端部との間に介在する。ばね１１は軸部１２を下方へ付勢することで、ローラ保持部１３を下方へ付勢する。
【００２５】
貯蔵室２１は略直方体形状である。貯蔵室２１はアーム部４左側且つ梁部６の本体部７前方部分に設けてあり、上下方向に延びる。貯蔵室２１は貯蔵室本体２２、蓋部２３、蓋軸支部２４を備える。貯蔵室本体２２は上部が開口する有底筒状である。蓋部２３は貯蔵室本体２２上部開口を覆う。貯蔵室本体２２は上端部左側に蓋軸支部２４を有する。蓋軸支部２４は蓋部２３を開閉可能に支持する。貯蔵室２１は接着剤（図示略）を貯蔵室本体２２内部に貯蔵する。貯蔵室２１は貯蔵した接着剤を必要に応じて後述するノズル５１に供給する。
【００２６】
ポンプケース２６はアーム部４左側面且つ貯蔵室２１前方に固定する。ポンプケース２６は第一ポンプケース２７、第二ポンプケース２８を備える。第一ポンプケース２７は内部にギアポンプ（図示略）を備える。ギアポンプは適量の接着剤を高精度で後述するノズル５１に供給する。第二ポンプケース２８は第一ポンプケース２７左下端面から下方に延びる。第二ポンプケース２８は左側に軸部（図示略）を備える。該軸部は通流部３０上端部右側に接続し、通流部３０を揺動可能に支持する。通流部３０は第一通流部３１、第二通流部３２を備える。第一通流部３１は第二ポンプケース２８左側面から左方へ延び、下方へ屈曲して延びる。第二通流部３２は第一通流部３１下方前面に接続する。第二通流部３２は左方へ延び、下方へ屈曲して延びる。
【００２７】
通流部３０は上端に駆動伝達部３３を備える。駆動伝達部３３はエアシリンダ１８の可動部１９先端部を支持する。通流部３０はエアシリンダ１８の可動部１９が前後に移動することで、前後方向に揺動する。
【００２８】
ノズル支持機構４１は第二通流部３２下端面に着脱可能に設けてある。ノズル支持機構４１下端部は台座部２から離れる。通流部３０は流路（図示略）を内部に備える。該流路はギアポンプが供給する接着剤（図示略）を、ポンプケース２６からノズル支持機構４１に向けて流す。
【００２９】
図３に示す如く、下搬送部９０は第一プーリ９１、第二プーリ９２、第三プーリ９３、支持アーム１６０、ベルト２０、ばね１６６を備える。第一プーリ９１は上搬送ローラ１７下方且つ後述するノズル５１の下方斜め後方に位置する。第二プーリ９２は第一プーリ９１前方且つノズル５１下方斜め前方に位置する。第三プーリ９３は第二プーリ９２下方斜め前方に位置する。支持アーム１６０上部は第一プーリ９１、第二プーリ９２、第三プーリ９３を回転可能に支持する。ベルト２０は第一プーリ９１、第二プーリ９２、第三プーリ９３に掛け渡す。台座部２は上面且つ上搬送ローラ１７とノズル５１の下方にある領域に穴５（図１参照）を設ける。ベルト２０の一部は穴５から台座部２上方に僅かに突出する（図１参照）。モータ（図示略）の駆動に伴い、第一プーリ９１が右側面視時計回り方向に回転することで、ベルト２０は穴５から突出する部分が前方から後方に向かう方向に回転する。上搬送ローラ１７とベルト２０は押圧位置９８で上布と下布を押圧しながら搬送方向Ｃに向けて搬送する。
【００３０】
支持アーム１６０は支持部１６３と腕部１６２を備える。支持部１６３は支持アーム１６０の上側に設けてある。支持部１６３は回転軸１６１を回転可能に支持する。回転軸１６１は第一プーリ９１の回転軸である。腕部１６２は支持部１６３から下方に延びる。腕部１６２は上下方向略中央部にばね取付部１６５を備える。台座部２内部に設けたフレーム９４はばね取付部９５を備える。ばね１６６の一端はばね取付部１６５に接続し、他端はばね取付部９５に接続する。ばね１６６は支持アーム１６０を回転軸１６１を中心として右側面視時計回り方向に常に付勢する。即ちばね１６６はベルト２０を後述するノズル５１（図２参照）の方向に付勢する。
【００３１】
図２、図４〜図７を参照しノズル支持機構４１、ノズル５１、上布案内機構６０を説明する。ノズル支持機構４１はノズル５１の延出方向Ｂの一端側を支持する。ノズル５１の延出方向Ｂの一端側はノズル５１左端側である。図４に示す如く、ノズル支持機構４１は基体部４２、ノズル支持部４３を備える。基体部４２は平面視略長方形の板状である。基体部４２は穴４２１、４２２、流路口４２３、溝部４２４を備える。穴４２１、４２２は平面視で基体部４２の対向する２頂点の近傍に設けてある。穴４２１、４２２は基体部４２を上下方向に貫通する。第二通流部３２（図１参照）は下面に穴４２１、４２２に対応する螺子穴（図示略）を備える。作業者は穴４２１、４２２と第二通流部３２の螺子穴を位置合わせし、螺子（図示略）を挿通して締め付ける。故に、作業者はノズル支持機構４１を第二通流部３２下面に固定できる。
【００３２】
流路口４２３は平面視略円形であり、基体部４２の中心に開口する。流路口４２３はノズル支持部４３内に設けた後述する流路４３５（図５参照）の一端側に接続する。通流部３０（図１参照）内の流路（図示略）を流れる接着剤（図示略）は流路口４２３に流れ込み、流路４３５へ流れる。溝部４２４は流路口４２３の周囲を囲む。溝部４２４はＯリング（図示略）が嵌まる。Ｏリングは通流部３０と基体部４２の隙間からの接着剤の漏出を防ぐ。
【００３３】
ノズル支持部４３は略直方体形状である。ノズル支持部４３は基体部４２下端面から後方斜め下方に延びる。ノズル支持部４３は右方下端部でノズル５１を支持する。図５に示す如く、ノズル支持部４３は内部に流路４３５を備える。流路４３５の一端側は基体部４２の流路口４２３（図４参照）に接続し、他端側は後述するノズル５１内の流路５２に接続する。
【００３４】
ノズル５１はノズル支持部４３下端部且つ右側面から右方水平方向に延び、下面が扁平な棒状である。ノズル５１は搬送方向Ｃと交差する延出方向Ｂに延び、押圧位置９８（図３参照）に対し搬送方向Ｃ上流側で台座部２に対向配置する上布と下布の間に接着剤（図示略）を吐き出す。本実施形態の延出方向Ｂは搬送方向Ｃと直交する。ノズル５１下面は台座部２（図１参照）上面から離れる。ノズル５１上面は水平面である。
【００３５】
図５に示す如く、ノズル５１は接着剤（図示略）を流す流路５２を内部に備える。流路５２は延出方向Ｂに延び、ノズル５１を貫通する。ノズル５１は左右方向両端に、流路５２に接続する開口５４、５５を有する。螺子５１１、５１２は夫々ノズル５１の開口５４、５５に外側から締結することで閉塞する。螺子５１１、５１２を外すことで流路５２は開放する。故に、作業者は流路５２を洗浄し、流路５２の内壁に付着した接着剤を除去できる。
【００３６】
流路５２左方上端はノズル支持部４３の流路４３５に接続する。流路５２は下面に複数の吐出口５３を備える。複数の吐出口５３は延出方向Ｂに一直線に並ぶ。複数の吐出口５３は夫々上下方向に延び、下端部がノズル５１下面を貫通する。基体部４２の流路口４２３（図４参照）に流れ込む接着剤（図示略）は、流路４３５を経由して流路５２に流れる。ノズル５１は流路５２に流れ込む接着剤を吐出口５３から吐出し、下布に塗布する。
【００３７】
ノズル５１は延出方向Ｂの長さＷ１（図６参照）を変更できるよう、図５に示す吐出口５３とは異なる吐出口を有するノズルに交換できる。作業者はノズル支持機構４１と共にノズル５１を取り外し、別のノズルに交換する。
【００３８】
図４に示す如く、上布案内機構６０はノズル支持部４３前面且つ上下方向略中央に螺子６２２で固定してある。上布案内機構６０は平面視Ｌ字形状の板状であり、ノズル５１左側上方に位置する。上布案内機構６０はノズル５１上面を移動する上布を搬送方向Ｃ下流側に案内する。
【００３９】
上布案内機構６０は固定部６１、案内部６２を備える。固定部６１はノズル支持部４３前面且つ上下方向略中央を左右方向に延びる。案内部６２は固定部６１右端部から後方に延びる。案内部６２下端はノズル５１上面に接触する。固定部６１は左右方向に長い長穴６１１を備える。長穴６１１は固定部６１を貫通する。長穴６１１の短径は、螺子６２２の軸部の径に比べ僅かに大きく、螺子６２２の頭部の径に比べ小さい。ノズル支持部４３は前面に螺子穴（図示略）を備える。作業者は、長穴６１１とノズル支持部４３の螺子穴とを位置合わせし、螺子６２２を長穴６１１に挿通して締め付けることで、上布案内機構６０をノズル支持部４３に固定できる。案内部６２右側面は上布を搬送する時、上布左側縁部に接触する。故に、案内部６２は上布の搬送方向Ｃと交差する方向への移動を制限し且つ搬送方向Ｃ下流側へ案内する。作業者は螺子６２２を緩めることで、上布案内機構６０を左右方向に移動できる。故に、上布案内機構６０は下布右側縁部と重なる上布左側縁部の左右方向の長さを調整できる。
【００４０】
図２、図３、図６を参照しガイド部材７０を説明する。ガイド部材７０は、ガイド部７１、調整部７２を備える。ガイド部７１は台座部２に比べ上側となる位置且つノズル５１に対し延出方向Ｂにおいてノズル支持機構４１と反対側で少なくともノズル５１と対向する位置に上布を配置する。ガイド部７１は左右方向に長い矩形板状であり、ノズル５１と略同一形状である。
【００４１】
図２に示す如く、ガイド部７１の搬送方向Ｃの長Ｌ２さはノズル５１の搬送方向Ｃの長さＬ１と同じである。図２、図３に示す如く、ガイド部７１は搬送方向Ｃ下流側の端部５６が少なくとも押圧位置９８に比べノズル５１側にある。図２に示す如く、ガイド部７１の搬送方向Ｃにおける位置はノズル５１の搬送方向Ｃにおける位置と同じである。詳細にはガイド部７１の搬送方向Ｃの中心線とノズル５１の搬送方向Ｃの中心線は同じ線Ｍである。
【００４２】
図６に示す如く、ガイド部７１の延出方向Ｂの長さＷ２はノズル５１の延出方向Ｂの長さＷ１以上である。第一実施形態では、長さＷ２は長さＷ１の１．５倍以上である。ガイド部７１は延出方向Ｂにおいてノズル５１と対向する側が台座部２と離間する。第一実施形態のガイド部７１は延出方向Ｂにおいて左方側が台座部２と距離Ｈ３離間する。ベルト２０上面からノズル５１右側下面の距離Ｄ１は台座部２上面からガイド部７１左側下面の距離Ｄ２と同じである。
【００４３】
ガイド部７１上面は水平面である。ガイド部７１の台座部２からの高さＨ４はノズル５１の台座部２からの高さＨ１の１倍以上１．５倍以下であることが好ましい。特に好ましくは、図６に示す如く、高さＨ４は高さＨ１と等しい。
【００４４】
調整部７２の台座部２からの高さＨ２はガイド部７１の台座部２からの高さＨ４に比べ小さい。ガイド部７１右端部は調整部７２に向けて下方に緩やかに傾斜する。調整部７２はガイド部７１右端部を支持する。調整部７２は平面視矩形状であり、長穴７３、螺子７４、７５を備える。長穴７３は調整部７２の中央部において左右方向に長く、上下方向に貫通する穴である。長穴７３は上下方向中央部において段部を有し、段部の下方で短径、長径が小さくなる。段部の下方における長穴７３の短径は、螺子７４、７５の軸部の径に比べ僅かに大きく、螺子７４、７５の頭部の径に比べ小さい。段部の上方における長穴７３の短径は、螺子７４、７５の頭部の径に比べ大きい。螺子７４、７５は長穴７３と台座部２の螺子穴（図示略）を挿通して締め付ける。作業者は螺子７４、７５を緩めることで、ガイド部材７０を左右方向に移動できる。前述の如くノズル５１は延出方向Ｂの長さＷ１が異なるノズルと交換できる。調整部７２は延出方向Ｂにおけるノズル５１とガイド部７１との距離を上布が撓まない範囲の距離に調整できる。延出方向Ｂにおけるノズル５１とガイド部７１との距離は小さい方が好ましい。作業者はノズルを交換した時にも延出方向Ｂにおけるノズル５１とガイド部７１との距離を調整できる。
【００４５】
図７を参照し、上布Ｃ２と下布Ｃ１を接着する方法を説明する。図７に示す如く、作業者は下布Ｃ１の右側縁部Ｃ３を台座部２上面に載置する。作業者は上布Ｃ２をノズル５１上面とガイド部７１上面に載置する。上布Ｃ２の左側縁部Ｃ４は上布案内機構６０の案内部６２に接触する。上布Ｃ２の左側縁部Ｃ４と下布Ｃ１の右側縁部Ｃ３は重なり合う。
【００４６】
上搬送ローラ１７とベルト２０（図１参照）が駆動することで、布接着装置１（図１参照）は上布Ｃ２と下布Ｃ１を搬送方向Ｃへ搬送する。作業者は上布Ｃ２が屈曲しない程度に上布Ｃ２の左側縁部Ｃ４を案内部６２に押し当てる。故に、上布案内機構６０は搬送方向Ｃと交差する方向への移動を制限し且つ上布Ｃ２を搬送方向Ｃへ案内する。
【００４７】
ベルト２０とノズル５１は下布Ｃ１を挟む。ノズル５１はノズル５１下方に位置する下布Ｃ１の右側縁部Ｃ３に接着剤（図示略）を吐出する。上搬送ローラ１７とベルト２０は、接着剤を塗った下布Ｃ１の右側縁部Ｃ３と上布Ｃ２の左側縁部Ｃ４を上下から挟んで押圧しながら搬送する。故に、布接着装置１は上布Ｃ２と下布Ｃ１を接着する。
【００４８】
台座部２、ノズル５１、ノズル支持機構４１、布接着装置１は夫々本発明の台座部、ノズル、ノズル支持機構、布接着装置に相当する。下搬送部９０と上搬送ローラ１７は本発明の搬送手段に相当する。ガイド部７１、ガイド部材７０は夫々本発明のガイド部、ガイド部材に相当する。長穴７３、螺子７４、７５を備える調整部７２は本発明の調整部に相当する。
【００４９】
布接着装置はガイド部材７０のガイド部７１が上布を台座部２に比べ上側となる位置且つ延出方向Ｂにおいて少なくともノズル５１と対向する位置に配置する。布接着装置１は上布がノズル５１から滑り落ちて上布の位置が不安定になることを回避できる。故に、布接着装置１は上布と下布を所望の位置で接着できる。
【００５０】
布接着装置１はガイド部７１の延出方向Ｂの長さがノズル５１の延出方向Ｂの長さ以上なので、ガイド部７１の延出方向Ｂの長さがノズル５１の延出方向Ｂの長さ未満である時に比べ上布がノズル５１又はガイド部７１から延出方向Ｂに滑り落ちにくい。布接着装置１はガイド部７１の台座部２からの高さＨ４がノズル５１の台座部２からの高さＨ１の１倍以上１．５倍以下でない時に比べノズル５１とガイド部７１の台座部２からの高さの差が小さい。故に、布接着装置１は高さＨ４が高さＨ１の１倍以上１．５倍以下でない時に比べ、上布がノズル５１又はガイド部７１から滑り落ちにくい。故に、布接着装置１は上布がノズル５１から滑り落ちて上布の位置が不安定になることを回避できる。
【００５１】
ガイド部７１は上搬送ローラ１７と干渉しない。上搬送ローラ１７と下搬送部９０は上布と下布を押圧しながら搬送方向Ｃに搬送できる。ガイド部７１の搬送方向Ｃの長さＬ２はノズル５１の搬送方向Ｃの長さＬ１と同じであり、ガイド部７１の搬送方向Ｃにおける位置はノズル５１の搬送方向Ｃにおける位置と同じである。故に、ノズル５１の上面に位置する上布とガイド部７１の上面に位置する上布は延出方向Ｂに略連続し、台座部２からの高さと搬送方向Ｃの位置が同じである。ノズル５１が上布Ｃ２を配置するのと同じ高さの位置且つ搬送方向Ｃにおける同じ位置にガイド部７１は上布Ｃ２を配置する。布接着装置１はガイド部７１の大きさを小さくすることと、上布がノズル５１又はガイド部７１から滑り落ちにくくすることが両立できる。
【００５２】
布接着装置１は延出方向の長さが互いに異なるノズル５１を装着した時、装着したノズルの延出方向Ｂの長さに合わせてノズル５１とガイド部７１の距離を調整できる。布接着装置１は延出方向Ｂの長さが互いに異なるノズル５１を装着した時にも台座部２に比べ上側となる位置且つ延出方向において少なくともノズル５１と対向する位置に上布を配置できる。
【００５３】
ガイド部７１は延出方向Ｂにおいてノズル５１と対向する側が台座部２と離間する。布接着装置１はガイド部７１が台座部２と離間していない時に比べ下布を台座部２上に配置する操作が容易である。
【００５４】
第二実施形態の布接着装置１を説明する。第二実施形態の布接着装置１は第一実施形態の布接着装置１とガイド部材１７０の構成が異なり、他の構成は互いに同様である。第一実施形態と同様の構成の説明は省略し、第二実施形態の布接着装置１のガイド部材１７０を説明する。
【００５５】
図８に示す如く、ガイド部材１７０はガイド部１７１、調整部１７２、下布案内機構８０を備える。ガイド部１７１、調整部１７２は、ガイド部７１、調整部７２と概略同じ構成である。ガイド部１７１は台座部２に比べ上側となる位置且つノズル５１に対し延出方向Ｂにおいてノズル支持機構４１と反対側で少なくともノズル５１と対向する位置に上布を配置する。ガイド部１７１は左右方向に長い矩形板状である。
【００５６】
ガイド部１７１の搬送方向Ｃの長さＬ１２はノズル５１の搬送方向Ｃの長さＬ１と同じである。ガイド部１７１の搬送方向Ｃの中心線とノズル５１の搬送方向Ｃの中心線は同じ線Ｍである。図９に示す如く、ガイド部１７１の延出方向Ｂの長さＷ１２はノズル５１の延出方向Ｂの長さＷ１以上である。ガイド部１７１は延出方向Ｂにおいて左方側が台座部２と距離Ｈ１３離間する。ガイド部１７１上面は水平面である。ガイド部１７１の台座部２からの高さＨ１４はノズル５１の台座部２からの高さＨ１と等しい。ガイド部１７１の台座部２からの高さＨ１４はノズル５１の台座部２からの高さＨ１の１倍以上１．５倍以下であればよい。
【００５７】
図８に示す如く、調整部１７２はガイド部１７１右端部を支持する。調整部１７２は平面視矩形状であり、長穴１７３、螺子１７４、１７５を備える。長穴１７３は調整部１７２の中央部の左右方向に長く、上下方向に貫通する穴である。長穴１７３は上下方向中央部において段部を有し、段部の下方で短径、長径が小さくなる。段部の下方における長穴１７３の短径は、螺子１７４、１７５の軸部の径に比べ僅かに大きく、螺子１７４、１７５の頭部の径に比べ小さい。段部の上方における長穴１７３の短径は、螺子１７４、１７５の頭部の径に比べ大きい。螺子１７４、１７５は長穴１７３と台座部２の螺子穴（図示略）を挿通して締め付ける。作業者は螺子１７４、１７５を緩めることで、ガイド部材１７０を左右方向に移動できる。故に、調整部１７２は交差方向におけるノズル５１とガイド部１７１との距離を調整できる。図９に示す如く、調整部１７２の台座部２からの高さＨ１２はガイド部１７１の台座部２からの高さＨ１４に比べ小さい。ガイド部１７１右端部は調整部１７２に向けて下方に緩やかに傾斜する。ガイド部１７１右前部は螺子穴（図示略）が左右方向に２つある。
【００５８】
図１０に示す如く、下布案内機構８０はガイド部材１７０の搬送方向Ｃ上流側に配置し、ノズル５１の延出方向Ｂ他端側の下部に延びて下布を案内する。ノズル５１の延出方向Ｂ他端側はノズル５１の右端側である。下布案内機構８０はガイド部１７１左前部に設けてある。下布案内機構８０は調整部８２、支持部８５、８６、第一案内部８７、第二案内部８８を備える。調整部８２は左右方向に長い鉛直方向に延びる板状である。調整部８２中央部は左右方向に延びる長穴８１を備える。長穴８１は前後方向に貫通する。長穴８１とガイド部１７１右前部の螺子穴（図示略）を挿通する螺子８３、８４は下布案内機構８０をガイド部１７１の左前部に固定する。作業者は螺子８３、８４を緩めることで、下布案内機構８０を左右方向に移動できる。布接着装置１は接着剤を塗布する下布の右側縁部の位置を調整できる。故に、布接着装置は上布と下布を所望の位置で接着できる。
【００５９】
調整部８２は支持部８５と連結する。支持部８５は軸８９を中心に回転可能に支持部８６を支持する。軸８９はガイド部１７１の搬送方向Ｃ上流側に上下方向に延びるように設け、第一案内部８７と第二案内部８８を回動可能に支持する。
【００６０】
図１０、図１１に示す如く、第一案内部８７と第二案内部８８は支持部８６の軸８９側と反対側の端部から水平方向に延びる。第一案内部８７は棒状である。第二案内部８８は水平方向に延びる平面視略長方形の板状である。
【００６１】
第一案内部８７と第二案内部８８は軸８９を中心に回動して、ノズル５１の延出方向Ｂ他端側の下部に延びる第一姿勢とノズル５１から離間する第二姿勢との間で切替可能である。図１０に示す如く、第一姿勢は軸８９から第一案内部８７と第二案内部８８に向かう方向Ｅが延出方向Ｂと平行となる姿勢である。下布案内機構８０を使用する時、作業者は下布案内機構８０を第一姿勢に配置する。下布案内機構８０を使用する時は、例えば上布と下布を二縁部接着する時である。
【００６２】
図１０、図１１に示す如く、下布案内機構８０が第一姿勢である時、第一案内部８７と第二案内部８８はノズル５１の吐出口５３（図５参照）に比べ搬送方向Ｃ上流側でノズル５１の下面の一部と対向し且つ吐出口５３の近傍に位置する。第二案内部８８上面の高さは第二案内部８８と対向する部分のノズル５１下面の高さに比べ僅かに下側である。第二案内部８８は下布Ｃ１の右側縁部Ｃ３を下側から支持し、下布を吐出口５３へ案内する。下布Ｃ１の右側縁部Ｃ３は支持部８６の左側面に当接する。第一案内部８７の最下端はノズル５１の下面に比べ上側にある。第一案内部８７と第二案内部８８は下布Ｃ１の右側縁部Ｃ３を搬送の妨げにならない程度に上下から挟み込む。故に、搬送時に下布Ｃ１の右側縁部Ｃ３がめくれ上がることがない。故に、布接着装置１は更に安定して下布Ｃ１の右側縁部Ｃ３に接着剤を塗布できる。
【００６３】
図１２に示す如く、第二姿勢は軸８９から第一案内部８７と第二案内部８８に向かう方向Ｅが延出方向Ｂと直交する姿勢である。ノズル５１を交換する時、又はノズル支持機構４１を第二通流部３２下端面に取り付けた状態で通流部３０を前後方向に揺動する時、作業者は第一案内部８７と第二案内部８８を第二姿勢にする。作業者は第一案内部８７と第二案内部８８を第二姿勢に切り替えることでノズル５１と第一案内部８７と第二案内部８８が干渉するのを防止できる。
【００６４】
ガイド部１７１、ガイド部材１７０は夫々本発明のガイド部、ガイド部材に相当する。長穴１７３、螺子１７４、１７５を備える調整部１７２は本発明の調整部に相当する。第一案内部８７と第二案内部８８は本発明の下布案内部に相当する。軸８９は本発明の軸部に相当する。調整部８２は本発明の案内位置調整部に相当する。
【００６５】
第二実施形態の布接着装置１は下布案内機構８０を備える。布接着装置１は接着剤（図示略）を塗布する下布の右側縁部の位置を所定の範囲に収めることができる。故に、布接着装置１は上布と下布を所望の位置で接着できる。下布案内機構８０は調整部８２を備える。布接着装置１は接着剤を塗布する下布の右側縁部の位置を調整できる。故に、布接着装置は上布と下布を所望の位置で接着できる。下布案内機構８０の第一案内部８７と第二案内部８８は軸８９を中心に回動して、ノズル５１の延出方向Ｂ他端側（右側）の下部に延びる第一姿勢とノズル５１から離間する第二姿勢との間で切替可能である。故に、作業者は例えばノズル５１の位置又は種類を切り替える場合に、第一案内部８７と第二案内部８８を第二姿勢に切り替えることでノズル５１と第一案内部８７と第二案内部８８が干渉するのを防止できる。布接着装置１は接着剤を塗布する下布の右側縁部の位置を調整できる。故に、布接着装置１は上布と下布を所望の位置で接着できる。
【００６６】
第三実施形態の布接着装置１を説明する。第三実施形態の布接着装置１は第一実施形態の布接着装置１とガイド部材２７０の構成が異なり、他の構成は互いに同様である。第一実施形態と同様の構成の説明は省略し、第三実施形態の布接着装置１のガイド部材３７０を説明する。
【００６７】
図１３に示す如く、ガイド部材２７０はガイド部２７１、調整部２７２を備える。ガイド部２７１は台座部２に比べ上側となる位置且つノズル５１に対し延出方向Ｂにおいてノズル支持機構４１と反対側で少なくともノズル５１と対向する位置に上布を配置する。ガイド部２７１は水平に延びる面を有する矩形板状である。
【００６８】
ガイド部２７１の搬送方向Ｃの長さＬ２２はノズル５１の搬送方向Ｃの長さＬ１に比べ長い。ガイド部２７１の搬送方向Ｃにおける位置はノズル５１の搬送方向Ｃにおける位置を含む、ノズル５１に比べ前側となる範囲に亘る。ガイド部２７１の前端部は台座部２の前端部近傍まで延びる。
【００６９】
図１３、図１４に示す如く、ガイド部２７１のノズル５１と対向する部位の延出方向Ｂの長さＷ２２はノズル５１の延出方向Ｂの長さＷ１以上である。ガイド部２７１のノズル５１の搬送方向Ｃ上流側の部位の延出方向Ｂの長さＷ２３は長さＷ２２に比べ長い。ノズル５１の搬送方向Ｃ上流側となる部位のガイド部２７１右端は調整部２７２右端と同じ位置にある。ガイド部２７１は延出方向Ｂにおいてノズル５１と対向する側が台座部２と離間する。第三実施形態では、ガイド部２７１は延出方向Ｂにおいて左方側が台座部２と距離Ｈ２３離間する。ベルト２０上面からノズル５１右側下面の距離Ｄ１は台座部２上面からガイド部２７１左側下面の距離Ｄ２２と同じである。ガイド部２７１上面は水平面である。ガイド部２７１の台座部２からの高さＨ２４はノズル５１の台座部２からの高さＨ１と等しい。ガイド部２７１の台座部２からの高さＨ２４はノズル５１の台座部２からの高さＨ１の１倍以上１．５倍以下であればよい。
【００７０】
調整部２７２はガイド部２７１右端部を支持する。調整部２７２は平面視矩形状であり、長穴２７３、螺子２７４、２７５を備える。長穴２７３は調整部２７２の中央部の左右方向に長く、上下方向に貫通する穴である。長穴２７３は上下方向中央部において段部を有し、段部の下方で短径、長径が小さくなる。段部の下方における長穴２７３の短径は、螺子２７４、２７５の軸部の径に比べ僅かに大きく、螺子２７４、２７５の頭部の径に比べ小さい。段部の上方における長穴１７３の短径は、螺子２７４、２７５の頭部の径に比べ大きい。螺子２７４、２７５は長穴２７３と台座部２の螺子穴（図示略）を挿通して締め付ける。作業者は螺子２７４、２７５を緩めることで、ガイド部材２７０を左右方向に移動できる。前述の如くノズル５１は延出方向Ｂの長さＬ１が異なるノズルと交換できる。作業者はノズルを交換した時にも延出方向Ｂにおけるノズルとガイド部２７１との距離を調整できる。
【００７１】
ガイド部２７１、ガイド部材２７０は夫々本発明のガイド部、ガイド部材に相当する。長穴２７３、螺子２７４、２７５を備える調整部２７２は本発明の調整部に相当する。
【００７２】
第三実施形態の布接着装置１はガイド部材２７０のガイド部２７１が上布を台座部２に比べ上側となる位置且つ延出方向Ｂにおいて少なくともノズル５１と対向する位置に配置する。布接着装置１は上布がノズル５１から滑り落ちて上布の位置が不安定になることを回避できる。故に、布接着装置１は上布と下布を所望の位置で接着できる。
【００７３】
本発明は本発明の要旨を逸脱しない範囲内において種々変更可能である。布接着装置１は上搬送ローラ１７の代わりにベルトを備えてよい。該ベルトはベルト２０との間に上布と下布を上下から挟んで押圧し且つベルト２０と共に回転することで上布と下布を搬送してよい。
【００７４】
ノズル５１の形状、延出方向Ｂの長さ、吐出口５３の形状、配置、数等の構成は適宜変更してよい。ノズル支持機構４１の形状等の構成は適宜変更してよい。
【００７５】
ガイド部７１、１７１、２７１は、台座部２に比べ上側となる位置且つノズル５１に対し延出方向Ｂにおいてノズル支持機構４１と反対側で少なくともノズル５１と対向する位置に上布を配置できればよい。ガイド部７１、１７１、２７１の形状、大きさ等の構成は適宜変更されてよい。例えばガイド部の延出方向Ｂの長さはノズル５１の延出方向の長さ、上布の材質、上布の延出方向の長さ等を考慮して適宜設定すればよい。他の例ではガイド部７１の上面の台座部２からの高さは上布がノズル５１又はガイド部７１から滑り落ちない高さとなることを考慮して設定すればよい。他の例ではガイド部７１の搬送方向Ｃ下流側の端部は押圧位置９８に比べ搬送方向Ｃ上流側の上布の搬送の妨げにならい位置であればよい。ガイド部の搬送方向Ｃの長さはノズル５１の搬送方向Ｃの長さ、上布の材質、ガイド部の搬送方向の位置等を考慮して適宜設定してよい。ガイド部７１の搬送方向Ｃにおける位置はノズルの搬送方向における位置、押圧位置９８の搬送方向における位置、上布の材質等を考慮して適宜設定してよい。ガイド部７１、１７１右端部は調整部７２、１７２に向けて下方に緩やかに傾斜しなくてもよい。
【００７６】
ガイド部材７０は長穴７３に替えて螺子穴を備え、延出方向Ｂにおけるノズル５１とガイド部７１との距離を調整できなくてよい。布接着装置１は布接着装置に取り付け可能な複数のノズルの延出方向Ｂの長さに対応する複数のガイド部材を台座部２に択一的に取り付けてよい。ガイド部材７０は長穴７３に替えて複数の螺子穴を備え、螺子７４、７５の挿通位置を変更して延出方向Ｂにおけるノズル５１とガイド部７１との距離を調整してもよい。ガイド部は延出方向Ｂにおいてノズル５１と対向する側が台座部２と離間しなくてよい。
【００７７】
ガイド部材７０、２７０の如く布接着装置１は下布案内機構８０を備えなくてよい。下布案内機構８０は軸８９を備えなくてよい。下布案内機構８０は調整部８２によって第一姿勢と第二姿勢との間で切替可能としてよい。作業者は螺子８３、８４を緩めて第一案内部８７と第二案内部８８を右側に移動して、ノズル５１の延出方向Ｂ他端側の下部から退避してよい。下布案内機構８０は第一姿勢と第二姿勢の間で切替できなくてよい。下布案内機構８０は第一案内部８７と第二案内部８８の延出方向の位置を調整できなくてよい。
【符号の説明】
【００７８】
１    布接着装置
２    台座部
１７    上搬送ローラ
２０    ベルト
４１    ノズル支持機構
５１    ノズル
７０、１７０、２７０    ガイド部材
７１、１７１、２７１    ガイド部
７２、１７２、２７２    調整部
７３、１７３、２７３    長穴
７４、７５、１７４、１７５、２７４、２７５    螺子
８０    下布案内機構
８１    長穴
８２    調整部
８３、８４    螺子
８７    第一案内部
８８    第二案内部
８９    軸
９０    下搬送部
【図１】
2014194091.tif 000003
【図２】
2014194091.tif 000004
【図３】
2014194091.tif 000005
【図４】
2014194091.tif 000006
【図５】
2014194091.tif 000007
【図６】
2014194091.tif 000008
【図７】
2014194091.tif 000009
【図８】
2014194091.tif 000010
【図９】
2014194091.tif 000011
【図１０】
2014194091.tif 000012
【図１１】
2014194091.tif 000013
【図１２】
2014194091.tif 000014
【図１３】
2014194091.tif 000015
【図１４】
2014194091.tif 000016